(57)【要約】【課題】特別な手順を要せずして視覚補助したウェブページを表示することができる視覚補助装置、及び視覚補助プログラムを提供する。【解決手段】視覚補助装置１は、外部ネットワークとの通信を管理するプロキシ部１６と、プロキシ部１６を介して外部からウェブページ情報を受信してウェブページを表示処理するウェブブラウザ１４Ａと、プロキシ部１６に設けられ、ウェブブラウザ１４Ａに出力する前にウェブページ情報の色情報を変換する視覚補助アプリケーション１６Ａとを有する。【選択図】図２
2010055449.tif 000002
【特許請求の範囲】
【請求項１】
外部ネットワークとの通信を管理するプロキシ部と、
前記プロキシ部に設けられ、前記プロキシ部を介して外部から受信したウェブページ情報をウェブブラウザに出力する前に前記ウェブページ情報の色情報を変換する視覚補助部と、
前記ウェブブラウザによって表示処理された前記色情報が変換されたウェブページ情報を表示する表示部と、
前記ウェブブラウザによって前記表示部に表示される前記ウェブページ情報に基づく画面表示を制御する制御部とを有することを特徴とする視覚補助装置。
【請求項２】
外部ネットワークとの通信を管理するプロキシ部と、
前記プロキシ部に設けられ、前記プロキシ部を介して外部から受信したウェブページ情報をウェブブラウザに出力する前に前記ウェブページ情報の色情報を変換する視覚補助部とを有することを特徴とする視覚補助装置。
【請求項３】
前記プロキシ部は、色情報の変換設定を示す設定情報を有し、
前記視覚補助部は、前記設定情報に基づいて前記ウェブページ情報の色情報を変換することを特徴とする請求項１又は２に記載の視覚補助装置。
【請求項４】
前記視覚補助部は、前記色情報として前記ウェブページ情報の色情報タグを書き換えることを特徴とする請求項３に記載の視覚補助装置。
【請求項５】
前記視覚補助部は、前記色情報として前記ウェブページ情報が参照する画像情報の色情報タグを書き換えることを特徴とする請求項３に記載の視覚補助装置。
【請求項６】
外部からウェブページ情報を入力する入力ステップと、
前記ウェブページ情報の色情報を変換する変換ステップと、
前記色情報が変換されたウェブページ情報に基づいてウェブページを表示させる表示ステップとをコンピュータに実行させることを特徴とする視覚補助プログラム。
【発明の詳細な説明】
【技術分野】
【０００１】
本発明は、視覚補助装置、及び視覚補助プログラムに関する。
【背景技術】
【０００２】
従来、ダウンロードされた視覚補助プログラムによってウェブページを色変換して表示する視覚補助装置が知られている（例えば、特許文献１参照）。
【０００３】
この視覚補助装置は、対応したウェブページ上に設けられた認識マークがクリックされると視覚補助プログラムをダウンロードし、その視覚補助プログラムをインストールすることで実行可能となるように構成され、その視覚補助プログラムを使用することによって対応したウェブページを色変換して表示することができる。
【特許文献１】特開２００３−２９６２２１号公報
【発明の開示】
【発明が解決しようとする課題】
【０００４】
しかし、従来の視覚補助装置によると、視覚補助プログラムによって対応したウェブページの色変換及び表示を行っているため、通常使用しているウェブブラウザに加えて視覚補助プログラムのインストールが必要となり、ウェブページの表示に要する手順が増加するという問題がある。
【０００５】
従って、本発明の目的は、特別な手順を要せずして視覚補助したウェブページを表示することができる視覚補助装置、及び視覚補助プログラムを提供することにある。
【課題を解決するための手段】
【０００６】
（１）本発明の一実施形態は上記目的を達成するため、外部ネットワークとの通信を管理するプロキシ部と、前記プロキシ部に設けられ、前記プロキシ部を介して外部から受信したウェブページ情報をウェブブラウザに出力する前に前記ウェブページ情報の色情報を変換する視覚補助部と、前記ウェブブラウザによって表示処理された前記色情報が変換されたウェブページ情報を表示する表示部と、前記ウェブブラウザによって前記表示部に表示される前記ウェブページ情報に基づく画面表示を制御する制御部とを有することを特徴とする視覚補助装置を提供する。
【０００７】
上記した構成によれば、プロキシ部に設けられた視覚補助部においてウェブページ情報を変換するため、ウェブブラウザが特別なウェブページ表示動作を行うことなく、ウェブページを色変換して表示することができる。
【０００８】
（２）外部ネットワークとの通信を管理するプロキシ部と、前記プロキシ部に設けられ、前記プロキシ部を介して外部から受信したウェブページ情報をウェブブラウザに出力する前に前記ウェブページ情報の色情報を変換する視覚補助部とを有することを特徴とする視覚補助装置を提供する。
【０００９】
上記した構成によれば、（１）と同様の効果を有する視覚補助装置をプロキシ部を備えた、例えば、プロキシサーバー等の装置単体で達成できる。
【００１０】
（３）また、本発明は上記目的を達成するため、外部からウェブページ情報を入力する入力ステップと、前記ウェブページ情報の色情報を変換する変換ステップと、前記色情報が変換されたウェブページ情報に基づいてウェブページを表示する表示ステップとをコンピュータに実行させることを特徴とする視覚補助プログラムを提供する。
【００１１】
上記した構成によれば、（１）と同様の効果を有する視覚補助プログラムを達成できる。
【発明の効果】
【００１２】
本発明によれば、特別な手順を要せずして視覚補助したウェブページを表示することができる。
【発明を実施するための最良の形態】
【００１３】
以下に、本発明の視覚補助装置、及び視覚補助プログラムの実施の形態を、図面を参照して詳細に説明する。
【００１４】
（視覚補助装置の構成）
図１は、本発明の実施の形態に係る視覚補助装置の構成例を示す概略図である。
【００１５】
視覚補助装置１は、パーソナルコンピュータ等の情報処理装置であり、インターネット３を介してウェブサーバ２と通信可能に接続される。視覚補助装置１は、ＣＰＵ（Ｃｅｎｔｒａｌ  Ｐｒｏｃｅｓｓｉｎｇ  Ｕｎｉｔ）やメモリ、ＨＤＤ（Ｈａｒｄ  Ｄｉｓｃ  Ｄｒｉｖｅ）等の電子部品を格納する本体１０と、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｓｅｎｃｅ）等のディスプレイからなる表示部１１と、操作部としてのキーボード１２ａ及びマウス１２ｂとを有する。
【００１６】
図２は、本発明の実施の形態に係る視覚補助装置の構成例を示すブロック図である。
【００１７】
視覚補助装置１は、入力する映像信号に基づいて画像を表示する表示部１１と、キーボード１２ａ及びマウス１２ｂ等を有してそれらに対する入力に基づき操作信号を出力する操作部１２と、情報を一時的に記憶するメモリ１３と、情報を記憶するＨＤＤや不揮発性メモリ等からなる記憶部１４と、外部と通信する通信部１５と、通信部１５を介して外部と通信する際にアクセスを管理するプロキシ部１６と、各部を制御するとともにアプリケーション等のプログラムを動作させる制御部１７とを有する。
【００１８】
プロキシ部１６は、外部から受信するウェブページのウェブページ情報を色変換する視覚補助プログラムとしての視覚補助アプリケーション１６Ａを有する。ここで、ウェブページ情報とは、例えば、ＨＴＭＬ、ＸＭＬ等の規格に基づいて記述された情報であり、テキストや図形の色表示を指定する色情報を含む。視覚補助アプリケーション１６Ａは、視覚補助装置１の利用者によって設定されたプロパティ設定値１６０を有し、この設定値に基づいて色変換動作を実行する。なお、視覚補助アプリケーション１６Ａ及びプロパティ設定値１６０は、例えば、プロキシ部１６に設けられた図示しない不揮発性メモリ上に格納されており、不揮発性メモリは、視覚補助アプリケーション１６Ａの動作時にも情報の一時記憶領域として使用される。
【００１９】
制御部１７は、記憶部１４に格納されて、外部から受信するウェブページのウェブページ情報を表示処理して表示部１１に表示するウェブブラウザ１４Ａを制御する。実行の際、ウェブブラウザ１４Ａは、記憶部１４からメモリ１３に一旦読み込まれて、制御部１７に実行される。
【００２０】
図３は、本発明の実施の形態に係る視覚補助装置の表示例を示す概略図である。
【００２１】
プロパティ設定画面１１０Ａは、視覚補助アプリケーション１６Ａによって表示部１１の表示画面上に表示され、色弱又は色盲の度合いごとに設けられる選択項目１１０ａと、選択した選択項目１１０ａを決定するためのＯＫボタン１１０ｂと、選択をとりやめるキャンセルボタン１１０ｃとを有する。
【００２２】
図４は、本発明の実施の形態にかかる視覚補助装置の設定値を示す表である。
【００２３】
プロパティ設定値１６０は、色弱又は色盲の度合いを示す内容と、視覚補助アプリケーション１６Ａの動作を決定するためのプロパティ設定値とを有する。
【００２４】
（動作）
以下に、実施の形態における視覚補助装置の動作を各図を参照しつつ説明する。
【００２５】
利用者の操作部１２に対する入力に伴い、制御部１７で実行されるウェブブラウザ１４ＡがＵＲＬを含むウェブページの受信要求を出力すると、その受信要求はプロキシ部１６へと入力され、プロキシ部１６は、通信部１５及びインターネット３を介してウェブサーバ２から該当するＵＲＬからウェブページ情報を受信する。
【００２６】
プロキシ部１６は、視覚補助アプリケーション１６Ａによりウェブページ情報の色情報を変換した後に、そのウェブページ情報をメモリ１３に格納する。視覚補助アプリケーション１６Ａの動作は、後に詳細に記載する。
【００２７】
次に、制御部１７で実行されるウェブブラウザ１４Ａは、メモリ１３に格納された色変換済みのウェブページ情報を表示処理し、表示のための信号を表示部１１に入力する。表示部１１は、信号に基づきウェブページを表示する。
【００２８】
図５は、本発明の実施の形態に係る視覚補助装置の動作を示すフローチャートである。
【００２９】
プロキシ部１６は、制御部１７を監視し、ウェブブラウザ１４Ａの起動を検出すると（Ｓ１０）、視覚補助アプリケーション１６Ａを起動する（Ｓ１１）。まず、視覚補助アプリケーション１６Ａは、初期設定として、プロパティが未設定の場合（Ｓ１２；Ｙｅｓ）、図３に示すプロパティ設定画面１１０Ａを表示して、利用者に操作部１２を介してプロパティを設定させてプロパティ設定値１６０を保存する（Ｓ１３）。
【００３０】
次に、視覚補助アプリケーション１６Ａは、ウェブブラウザ１４Ａからウェブページの表示要求を入力すると（Ｓ１４；Ｙｅｓ）、プロキシ部１６、通信部１５及びインターネット３を介して外部のウェブサーバ２からウェブページのウェブページ情報を受信する（Ｓ１５）。
【００３１】
次に、視覚補助アプリケーション１６Ａは、プロパティ設定値１６０を参照して、色変換の設定が「色覚正常」以外の設定の場合（Ｓ１６；Ｙｅｓ）、プロパティ設定値１６０に基づいてウェブページ情報に含まれる色情報を変換して色変換する（Ｓ１７）。
【００３２】
次に、ウェブブラウザ１４Ａは、色変換されたウェブページ情報を処理して表示部１１において表示する（Ｓ１８）。
【００３３】
図６は、本発明の実施の形態に係る視覚補助装置の動作を示すフローチャートであり、図５のステップＳ１５、及びＳ１７の動作の詳細を示す。
【００３４】
視覚補助アプリケーション１６Ａは、ウェブページのウェブページ情報を取得し（Ｓ２０）、ウェブページ情報からＨＴＭＬ等のソースコードを取得する（Ｓ２１）。ソースコード中に色情報タグ、例えば、「ＢＧＣＯＬＯＲ＝“＃ＦＦ００００”」が含まれている場合（Ｓ２２；Ｙｅｓ）、プロパティ設定値１６０に基づいて、例えば、「ＢＧＣＯＬＯＲ＝“＃００ＦＦＦＦ”」に置き換えて、ソースコードを保存する（Ｓ２３）。
【００３５】
次に、ウェブページ情報中に画像、例えば、ＢＭＰ、ＪＰＧ、ＧＩＦ等のフォーマットの画像ファイルが参照されている場合（Ｓ２４；Ｙｅｓ）、画像ファイルから色情報を取得して、例えば、ＢＭＰファイルから色情報としてＲＧＢＱＵＡＤ情報を取得して（Ｓ２５）、ＲＧＢＱＵＡＤ情報内の「“＃ＦＦ００００”」を「“＃００ＦＦＦＦ”」に置き換えて画像ファイルを保存する（Ｓ２６）。
【００３６】
（第１の実施の形態の効果）
上記した実施の形態によると、プロキシ部１６に設けられた視覚補助アプリケーション１６Ａにおいてウェブページ情報を変換するため、ウェブブラウザ１４Ａが特別なウェブページ表示動作を行うことなく、ウェブページを色変換して表示することができる。
【００３７】
なお、視覚補助アプリケーション１６Ａは、ウェブブラウザ１４Ａに対するウェブページ情報に限らず、ＨＴＭＬ等の言語によって記述されるメールの情報等、プロキシ部１６を介して受信する色情報を含む情報を色変換してもよい。
【００３８】
また、各プロパティ設定値に対する色変換の方法は一例であり、変換対象の色情報タグ、及び変換目標の色情報タグは設計者が任意に設定することができる。
【００３９】
また、プロキシ部１６は、独立してプロキシサーバーとしてインターネット３と視覚補助装置１との間に設置されるものであってもよい。このようにすることで、プロキシサーバーに接続される端末装置としてのパーソナルコンピュータは、特別な構成を設けることなく視覚補助されたウェブページを表示することができる。
【図面の簡単な説明】
【００４０】
【図１】本発明の実施の形態に係る視覚補助装置の構成例を示す概略図である。
【図２】本発明の実施の形態に係る視覚補助装置の構成例を示すブロック図である。
【図３】本発明の実施の形態に係る視覚補助装置の表示例を示す概略図である。
【図４】本発明の実施の形態にかかる視覚補助装置の設定値を示す表である。
【図５】本発明の実施の形態に係る視覚補助装置の動作を示すフローチャートである。
【図６】本発明の実施の形態に係る視覚補助装置の動作を示すフローチャートである。
【符号の説明】
【００４１】
１…視覚補助装置、２…ウェブサーバ、３…インターネット、１０…本体、１１…表示部、１２ａ…キーボード、１２ｂ…マウス、１２…操作部、１３…メモリ、１４…記憶部、１４Ａ…ウェブブラウザ、１５…通信部、１６…プロキシ部、１６Ａ…視覚補助アプリケーション、１７…制御部、１１０Ａ…プロパティ設定画面、１１０ａ…選択項目、１１０ｂ…ＯＫボタン、１１０ｃ…キャンセルボタン、１６０…プロパティ設定値
【図１】
2010055449.tif 000003
【図２】
2010055449.tif 000004
【図３】
2010055449.tif 000005
【図４】
2010055449.tif 000006
【図５】
2010055449.tif 000007
【図６】
2010055449.tif 000008